(57)【特許請求の範囲】
【請求項１】
細長薄片よりなる多数の塗布片を間隙部を介して一列に配置し、各塗布片の一端を連接して塗布片基部となした塗布列と、細長薄片よりなり、その側面に凸部を形成した多数の弁片を、離隔部を介して一列に配置し、各弁片の一端を連接して弁片基部となした弁列とを、前記塗布列が前記弁列の外側に位置し、且つ、前記弁片の凸部を前記塗布列の間隙部に対峙させると共に、それら凸部の幅と間隙部の幅とをほぼ同等に設け、また、前記塗布片と前記弁片とが千鳥掛状になるように複数積層した塗布具の塗布部。
【発明の詳細な説明】
【０００１】
【発明の属する技術分野】
本発明は、修正液、塗料、絵の具、インキ、糊、液状化粧料、粉体化粧料、薬剤などの塗布剤を塗布する塗布具の塗布部に関する。
【０００２】
【従来の技術】
本発明の出願人は、以前に、多数の細長い塗布片を離隔して一列に配し、各塗布片の一端を連設して基部となした塗布列を、前記塗布片が千鳥状となるよう複数積層し、前記塗布列の基部の少なくとも両端を連設してなる塗布部が、積層方向に圧縮されて塗布具本体に止着した塗布具を要旨とする発明を提案している（特開平７−２３６８５０号）。この発明に係る塗布部は、熱可塑性樹脂などによる射出成形も可能となり、低コストで形成でき、かつ、品質のばらつきも生じることがなく形成しうるものであり、しかも、塗布部の毛細管部についても使用する塗布剤に合わせた設計ができるので、使用時、塗布剤の塗布部での含み量や、塗布部からの吐出量が適切であるという効果を有するものである。
【０００３】
【発明が解決しようとする課題】
本発明は、上記塗布部を更に改良するものである。上記、塗布部を用いた塗布具によって塗布を行うとき、塗布剤の種類によっては、塗布剤が塗布面側に供給されると同時に、塗布面の反対側にも少量ながら滲み出すことがあった。このような条件において、塗布剤を急速且つ大量に塗布しようとした場合、塗布剤の滲み量が多量となり、塗布面の反対側に、滲み出した塗布剤の溜まりが形成される。この塗布剤の溜まりが大きくなると、塗布剤は、自重によって被塗布面に移動し、その結果、局部的な塗布剤の塗りムラという問題の発生する可能性がある。本発明は、このような塗布剤の塗りムラの発生を防止できる塗布具の塗布部を提供することを課題とする。
【０００４】
【課題を解決するための手段】
本発明は、細長薄片よりなる多数の塗布片を間隙部を介して一列に配置し、各塗布片の一端を連接して塗布片基部となした塗布列と、細長薄片よりなり、その側面に凸部を形成した多数の弁片を、離隔部を介して一列に配置し、各弁片の一端を連接して弁片基部となした弁列とを、前記塗布列が前記弁列の外側に位置し、且つ、前記弁片の凸部を前記塗布列の間隙部に対峙させると共に、それら凸部の幅と間隙部の幅とをほぼ同等に設け、また、前記塗布片と前記弁片とが千鳥掛状になるように複数積層した塗布具の塗布部を要旨とする。
【０００５】
【実施例】
図１〜図５に第１実施例を示す。容器本体１は、押圧変形可能な合成樹脂製ブロー成形品からなり、内部を塗布剤収容室２としている。なお、容器本体１を押圧変形可能とするのは、塗布時、容器本体１の内圧を高くし、塗布剤を吐出させるためであるので、容器本体１に別途内部加圧装置を取り付けた場合、容器本体１は、剛体で成形してもよい。容器本体１の口部３には、貫通孔を有する先体４が、螺合、嵌合など適宜手段によって固着されている。更に、前記口部３の前方には、塗布部５が配置されている。この塗布部５は、鍔部５ａが先体４と口部３の開口端面とで挟着され、塗布具本体１に固定されている。
【０００６】
塗布部５は、細長薄片よりなる塗布片６を、前記塗布片６間の隙間である間隙部７を介して一列に配し、各塗布片６の一端を連接して塗布片基部８を設けた塗布列９の内側に、側面に凸部１０を設けた細長薄片よりなる弁片１１を、前記弁片１１間の隙間である離隔部１２を介して一列に配し、各弁片１１の一端を連接して弁片基部１３を設けた弁列１４を積層し、前記各列の基部の両端を連接してなるものである。そして、塗布列９及び弁列１４を積層するに当たっては、前記弁片１１に形成した凸部１０を、外側に配置された塗布列９の間隙部７に対峙させ、且つ、隣接する各列の塗布片６又は弁片１１が千鳥掛状になるように、各列を配置し、更に、弁片基部１３が、塗布片基部８より塗布具本体１の口部３側に位置するよう配置している。塗布部５において、塗布列９は、両外側に配置しているが、内側に配置する弁列１４は１層であっても、複数層であってもよい。また、塗布列９及び弁列１４の各列の間は、前記塗布剤収容室２と連通した塗布剤の吐出孔１５となっている。
【０００７】
塗布部５は、前記塗布片６と前記弁片１１とが弾性変形可能な材料によって形成されることが好ましい。これは、平面以外の被塗布面にも良好に塗布ができるようにするためであるとともに、塗布時のタッチを向上するためでもある。弾性変形可能な材料としては、ナイロンなどのポリアミドや、ポリエチレンテレフタレート、ポリブレンテレフタレートなどのポリエステルといった熱可塑性樹脂や、オレフィン系、ウレタン系、ポリエステル系、ポリアミド系、スチレン系などの熱可塑性エラストマーといった熱可塑性高分子が挙げられる。ただし、塗布片６及び弁片１１の大きさによっては、弾性変形が可能になるので、弾性変形可能な材料以外のものを使用することも可能である。
【０００８】
本発明の塗布具の塗布部を用いた場合について説明する。塗布剤の塗布は、以下のようにして行う。被塗布面に一方の塗布列の側面を押し当て、容器本体を押圧変形させる。この押圧変形により、塗布剤は、容器本体内の塗布剤収容室２から吐出孔を通過し、塗布列の間隙部より吐出する。そこで、塗布具を動かすことによって、塗布剤を伸ばすように塗布する。この塗布作業において、被塗布面に一方の塗布列の側面を押し当てたとき、まず被塗布面側の一方の塗布列が弓形にたわむ。次ぎに前記弁列の先端が被塗布面に当たり弓形にたわむ。最後に他方の塗布列の先端が被塗布面に当たり弓形にたわむ。塗布時、前記弁片基部は前記塗布片基部より前記口部側に配置されているので、前記弁列は前記塗布列に比べ前記弁片基部を基点に左右に動きやすくなっている。そのため、前記弁列は、他方の塗布列に密着する。このとき、弁片に設けた凸部は、塗布列の間隙部に対峙する位置に配置してあるので、この間隙部にはまり込み、間隙を塞ぐ。このことによって、塗布面の反対側への塗布剤の滲み出しを抑制する。
【０００９】
図６に、第２実施例を示す。第２実施例は、第１実施例において、塗布片１０６の外側に、先端から基部にわたる塗布片凸部１６を設けた以外は実施例１と同じである。この塗布片凸部１６は複数設けても良い。第２実施例の塗布具の塗布部は、塗布片凸部１６を設けることで塗布列の塗布片の弾力性を強化することができ形状回復を良くし、また、塗布片凸部１６だけが塗布面に接触するため摩擦抵抗が減少するので、軽い力で塗布をすることができる。
【００１０】
図７に、第３実施例を示す。第３実施例は、第１実施例において、塗布片２０６の内側に、弁列２１４の離隔部２１２に対峙するような塗布片凸部１７を設けた以外は実施例１と同じである。第３実施例の塗布具の塗布部は、塗布片凸部１７を設けることで塗布列の塗布片の弾力性を強化することができ形状回復を良くし、また、弁列２１４の離隔部２１２に塗布片凸部１７がはまり込むことにより塗布剤の滲み出しを良好に抑制する。
【００１１】
図８に、第４実施例を示す。第４実施例は、第１実施例において、弁列３１４を２列に増やし、弁列３１４と塗布列３０６との間を塞ぐことによって、吐出孔３１５を、弁列３１４の間のみの１カ所としたこと以外は実施例１と同じである。第４実施例の塗布具の塗布部は、弁列３１４を２列に増やしたので、塗布剤の滲み出しを良好に抑制する。また吐出孔３１５が１カ所であるため、吐出孔を塞ぐ閉止栓の構成が容易になる。
【００１２】
図９に、第５実施例を示す。第５実施例は、第１実施例において、塗布片４０６の断面形状を三日月形状となした以外は、実施例１と同じである。第５実施例の塗布具の塗布部は、塗布片４０６の断面形状を三日月形状となしたので、塗布面への摩擦抵抗が減少し、塗布タッチが良好になる。
【００１３】
図１０に、第６実施例を示す。第６実施例は、第１実施例において、塗布片５０６の断面形状をくの字形状となし、且つ、塗布片５０６、弁片５１１、また、塗布列５０９、弁列５１４の数を増やし、塗布剤の吐出孔５１５を弁列５１４間にのみ形成したこと以外は実施例１と同じである。第６実施例の塗布具の塗布部は、塗布面への摩擦抵抗が減少し、塗布タッチが良好になる。
【００１４】
【発明の効果】
本発明に係る塗布具の塗布部は、塗布時における塗布面の反対側への塗布剤の滲み出しを抑制することができるので、塗布跡に局部的な塗りムラが発生するという問題がない優れたものである。
【図面の簡単な説明】
【図１】  第１実施例を正面から見た一部横断面図。
【図２】  第１実施例を上面から見た一部横側面図。
【図３】  図１の側面図。
【図４】  第１実施例の塗布片拡大斜視図。
【図５】  第１実施例の弁片拡大斜視図。
【図６】  第２実施例の塗布部の側面図。
【図７】  第３実施例の塗布部の側面図。
【図８】  第４実施例の塗布部の側面図。
【図９】  第５実施例の塗布部の側面図。
【図１０】  第６実施例の塗布部の側面図。
【符号の説明】
１      塗布具本体
２      塗布剤収容室
３      口部
４      先体
５      塗布先
６      塗布片
１０６  塗布片
２０６  塗布片
４０６  塗布片
５０６  塗布片
７      間隙部
８      塗布片基部
９      塗布列
５０９  塗布列
１０    凸部
１１    弁片
５１１  弁片
１２    離隔部
２１２  離隔部
１３    弁片基部
１４    弁列
２１４  弁列
３１４  弁列
５１４  弁列
１５    吐出孔
３１５  吐出孔
５１５  吐出孔
１６    塗布片凸部
１７    塗布片凸部
【図１】
0003716539.tif 000002
【図２】
0003716539.tif 000003
【図３】
0003716539.tif 000004
【図４】
0003716539.tif 000005
【図５】
0003716539.tif 000006
【図６】
0003716539.tif 000007
【図７】
0003716539.tif 000008
【図８】
0003716539.tif 000009
【図９】
0003716539.tif 000010
【図１０】
0003716539.tif 000011